(57)【要約】【課題】身体障害者や高齢者においても、衣服を容易にハンガーに係留出来るハンガーへの衣服係留補助具を提供する。【解決手段】少なくともＵ字型の構成部分を有するハンガーへの衣服係留補助具であって、該Ｕ字型の構成部分の下部にハンガーを係止するようになっており、該Ｕ字型の構成部分の上部はハンガーが脱着出来る空隙を有し、該Ｕ字型の構成部分の上部に掛けた衣服を、前記ハンガーを係止された下部から該空隙を通して引き上げることによりハンガーへの衣服係留を容易ならしめる。【選択図】図１
0003180675.tif 000002
【実用新案登録請求の範囲】
【請求項１】
少なくともＵ字型の構成部分を有するハンガーへの衣服係留補助具であって、
該Ｕ字型の構成部分の下部にハンガーを係止するようになっており、
該Ｕ字型の構成部分の上部はハンガーが脱着出来る空隙を有し、
該Ｕ字型の構成部分の上部に掛けた衣服を、前記ハンガーを係止された下部から該空隙を通して引き上げることによりハンガーへの衣服係留を容易ならしめることを特徴とする、
ハンガーへの衣服係留補助具。
【請求項２】
該Ｕ字型の構成部分は、
２本又は複数の棒或いはパイプ材により構成されることを特徴とする、
請求項１記載のハンガーへの衣服係留補助具。
【請求項３】
該Ｕ字型の構成部分は、
板状の部材により構成されることを特徴とする、
請求項１記載のハンガーへの衣服係留補助具。
【請求項４】
該少なくともＵ字型の構成部分を有するハンガーへの衣服係留補助具は、
椅子の背もたれ、ベッドボード等の板状の部材に装着する保持部分を有することを特徴とする、
請求項１乃至３の何れかに記載のハンガーへの衣服係留補助具。
【請求項５】
該板状の部材に装着する保持部分は、
その先端部が略球状となっており、板状の部材の傷付きを防止することを特徴とする、
請求項４に記載のハンガーへの衣服係留補助具。
【請求項６】
該少なくともＵ字型の構成部分を有するハンガーへの衣服係留補助具は、
ハンガースタンド、スタンドミラー、ベッドポール等の家具に装着する保持部分を有することを特徴とする、
請求項１乃至３の何れかに記載のハンガーへの衣服係留補助具。
【請求項７】
該ハンガースタンド、スタンドミラー、ベッドポール等の家具に装着する保持部分は、
回転部分を有することを特徴とする、
請求項６記載のハンガーへの衣服係留補助具。
【請求項８】
該Ｕ字型の構成部分の外面には、
子供用のキャラクター等の意匠が施された背面版を有することを特徴とする、
請求項１乃至７の何れかに記載のハンガーへの衣服係留補助具。
【考案の詳細な説明】
【技術分野】
【０００１】
本考案は、ハンガーへの衣服係留補助具に関するものである。
【背景技術】
【０００２】
従来から、衣服が皺にならないように、またタンス等に整理して保管するために、ハンガーが用いられている。その中でも、上部にフックを有し、略三角形の形状のハンガーが一般的に用いられている。
【０００３】
前記略三角形の形状のハンガーには、例えば男性用のスーツであれば下部にズボンを、上部に上着を係留するのが通常である。
【０００４】
そうして、ハンガーへの衣服の係留は専ら使用者が手ずから行っており、これを補助する器具等は普及していなかった。これは、大量のハンガーへの衣服の係留を行うクリーニング店等に於いても同様である。
【先行技術文献】
【特許文献】
【０００５】
【特許文献１】特開平９−１９１９７５号公報
【特許文献１】特開２００５−２０５０９５号公報
【特許文献１】特開２００９−１４８４０８号公報
【考案の概要】
【考案が解決しようとする課題】
【０００６】
略三角形の形状のハンガーの下部にズボンを掛けるためにはこれを該略三角形の間に通す必要があり、特に身体に障害のある人や高齢者にとっては困難であるという欠点があった。
【０００７】
また、大量のハンガーへの衣服の係留を行うクリーニング店等に於いては、人件費が嵩み、経済的に問題があった。
【課題を解決するための手段】
【０００８】
本考案は、これらの課題を解決するために為されたものであって、少なくともＵ字型の構成部分を有するハンガーへの衣服係留補助具であって、該Ｕ字型の構成部分の下部にハンガーを係止するようになっており、該Ｕ字型の構成部分の上部はハンガーが脱着出来る空隙を有し、該Ｕ字型の構成部分の上部に掛けた衣服を、前記ハンガーを係止された下部から該空隙を通して引き上げることによりハンガーへの衣服係留を容易ならしめることを特徴とする。ここで、該Ｕ字型の構成部分の上部に衣服を掛けるために背面には板状、Ｔ字状等の衣服を受ける部分が必要であるが、一般には本考案に係るハンガーへの衣服係留補助具を設置する椅子の背もたれ等の部分がこの役目を果たし、また本考案に係るハンガーへの衣服係留補助具が板状の部材であれば問題なく本考案に係るハンガーへの衣服係留補助具自体が衣服を受ける部分として機能する。さらに、別途衣服を受ける部分を設けることも有効である。
【考案の効果】
【０００９】
本考案のハンガーへの衣服係留補助具は、身体に障害のある人や高齢者、或いは子供等であっても容易にハンガーへの衣服係留が出来るという利点がある。
【００１０】
また本考案のハンガーへの衣服係留補助具は、大量のハンガーへの衣服の係留を行うクリーニング店等に於いては、容易に短時間で大量のハンガーへの衣服係留が出来るという利点があり、経済的にもメリットがある。
【図面の簡単な説明】
【００１１】
【図１】図１は、本考案に係るハンガーへの衣服係留補助具の基本的な構造を示す概念図である。（実施例１）
【図２】図２は、通常椅子にズボンを掛けている様子を示す図である。
【図３】図３は、本考案に係るハンガーへの衣服係留補助具を、椅子の背に設置して使用する様子を示す概念図である。
【図４】図４は、本考案に係るハンガーへの衣服係留補助具を、椅子の背に設置して使用する様子を示す概念図であって、上着を係留する動作を示す図である。
【図５】図５は、本考案に係るハンガーへの衣服係留補助具を、椅子の背に設置して使用する様子を示す概念図であって、ズボンを係留する動作を示す図である。
【図６】図６は、本考案に係るハンガーへの衣服係留補助具を柱状の部材に設置するためのクランプの例を示す図である。
【図７】図７は、本考案に係るハンガーへの衣服係留補助具の背面に意匠を表示する概念図である。
【考案を実施するための形態】
【００１２】
以下、本考案を実施するための形態を図面を用いて説明する。
【実施例１】
【００１３】
図１は、本考案に係るハンガーへの衣服係留補助具の基本的な構造を示す概念図である。本考案は、少なくともＵ字型の構成部分を有するハンガーへの衣服係留補助具であって、該Ｕ字型の構成部分の下部にハンガーを係止するようになっており、該Ｕ字型の構成部分の上部はハンガーが脱着出来る空隙を有し、該Ｕ字型の構成部分の上部に掛けた衣服を、前記ハンガーを係止された下部から該空隙を通して引き上げることによりハンガーへの衣服係留を容易ならしめることを特徴とするハンガーへの衣服係留補助具である。
【００１４】
図１で１（斜線部）として示されるＵ字型の構成部分にハンガーを予め係止しておき、椅子の上部に掛けたズボンや上着等の衣服を、前記ハンガーを引き上げることによって簡単にハンガーに係留することが出来る。なお、この場合は椅子に設置するため、Ｕ字型の構成部分以外に椅子の背もたれ部に引っ掛けるためのフックを有している。
【００１５】
図２は、通常椅子にズボンを掛けている様子を示す図である。通常、家庭やホテルの部屋等で、ズボンなどの衣服をハンガーに掛けることが煩わしく、このように椅子等に掛けておくことは多い。しかし、このようにしておくと衣服が皺になったり型くずれしてしまうことも多い。
【００１６】
図３は、本考案に係るハンガーへの衣服係留補助具を、椅子の背に設置して使用する様子を示す概念図である。本考案のハンガーへの衣服係留補助具は、前記のように椅子に掛けた衣服を、そのまま下部に係止されているハンガーを引き上げるだけで奇麗に係留出来る。
【００１７】
図４は、本考案に係るハンガーへの衣服係留補助具を、椅子の背に設置して使用する様子を示す概念図であって、上着を係留する動作を示す図である。また、図５は、本考案に係るハンガーへの衣服係留補助具を、椅子の背に設置して使用する様子を示す概念図であって、ズボンを係留する動作を示す図である。本考案のハンガーへの衣服係留補助具は、図４及び図５のように椅子に掛けた衣服を、そのまま下部に係止されているハンガーを引き上げるだけで奇麗に係留出来る。勿論、ズボンと上着を同時に係留することも出来る。
【００１８】
ここで、図示された該Ｕ字型の構成部分は２本の棒状の部材により構成されているが、本考案はこれらに限定されるものではなく、２本又は複数の棒或いはパイプ材により構成されていてもよい。また、棒或いはパイプ材に代えて、板状の部材により構成してもよい。また、板状の部材に装着する保持部分は、その先端部を略球状として、板状の部材の傷付きを防止することが有効である。
【００１９】
ここで、該Ｕ字型の構成部分の上部に衣服を掛けるために背面には板状、Ｔ字状等の衣服を受ける部分が必要であるが、一般には本考案に係るハンガーへの衣服係留補助具を設置する椅子の背もたれ等の部分がこの役目を果たし、また本考案に係るハンガーへの衣服係留補助具が板状の部材であれば問題なく本考案に係るハンガーへの衣服係留補助具自体が衣服を受ける部分として機能する。さらに、別途衣服を受ける部分を設けることも有効である。
【実施例２】
【００２０】
図６は、本考案に係るハンガーへの衣服係留補助具をハンガースタンド、スタンドミラー、ベッドポール等の家具に装着するため、柱状の部材に装着するための保持部分の例を示している。図６は、保持部分としてクランプの例を示すが、クリップ等の他の形状であっても問題ない。
【００２１】
ここで、本考案に係るハンガーへの衣服係留補助具をハンガースタンド、スタンドミラー、ベッドポール等の家具に装着するため、柱状の部材に装着するための保持部分は、回転可能な構造とすることも好ましい。かかる構成とすることにより、例えばハンガースタンドに装着した本考案に係るハンガーへの衣服係留補助具は、使用時以外は収納することが出来、スペース効率が向上する。
【００２２】
図７は、本考案に係るハンガーへの衣服係留補助具の背面に意匠を表示する概念図である。かかる構成にすることにより、例えばホテルの部屋の椅子に設置する場合は近隣の飲食店等の広告を掲示することも出来、経済的なメリットがある。また、子供部屋の椅子やベッドボード等に用いる場合は、キャラクター等を描くことで子供の興味を引きつけ、衣服を係留して整理整頓する癖を付けるためにも効果的である。
【産業上の利用可能性】
【００２３】
本考案のハンガーへの衣服係留補助具は、身体に障害のある人や高齢者、或いは子供等であっても容易にハンガーへの衣服係留が出来るという利点がある。また本考案のハンガーへの衣服係留補助具は、大量のハンガーへの衣服の係留を行うクリーニング店等に於いては、容易に短時間で大量のハンガーへの衣服係留が出来るという利点があり、産業上の利用可能性も大である。
【符号の説明】
【００２４】
１    Ｕ字型の構成部分
２    連結部
【図１】
0003180675.tif 000003
【図２】
0003180675.tif 000004
【図３】
0003180675.tif 000005
【図４】
0003180675.tif 000006
【図５】
0003180675.tif 000007
【図６】
0003180675.tif 000008
【図７】
0003180675.tif 000009